(57)【要約】【課題】前方開口部をスライド自在に開閉する扉の上面部に溜まった結露水が使用者や、収納室内に収納されている物品にかからないようにしたショーケースの扉構造を提供する。【解決手段】前方開口部１８ａを有する断熱箱体１８と、前記前方開口部１８ａの内周上部および内周下部に、上枠５０および下枠５６が設けられ、両枠５０,５６間にスライド自在に支持された扉２２,３２により前記前方開口部１８ａを開閉するショーケースにおいて、前記扉２２,３２の上面部における前端縁および後端縁に、上方へ所定高さで突出する突条４０,４０が設けられている。この突条４０,４０により、前記扉２２,３２の開閉操作に際して、前記上面部に溜まった結露水が、該扉２２,３２の前端縁側および後端縁側に流れ出すことを防止し得る。【選択図】図１
2009066296.tif 000002
【特許請求の範囲】
【請求項１】
前方開口部(18a)を有する断熱箱体(18)と、前記前方開口部(18a)の内周上部および内周下部に、上枠(50)および下枠(56)が設けられ、両枠(50,56)間にスライド自在に支持された扉(22,32)により前記前方開口部(18a)を開閉するショーケースにおいて、
前記扉(22,32)の上面部(26a,36a)における前端縁および後端縁に、各縁端に沿って上方へ所定高さで突出する突条(40,40)を設けた
ことを特徴とするショーケースの扉構造。
【請求項２】
前記上面部(26a,36a)には、前記扉(22,32)が前記前方開口部(18a)を閉成した際に前記断熱箱体(18)の内側面に当接する側の側端部に、上方へ所定高さで突出する側部突条(42)が前記両突条(40,40)に連接して設けられている請求項１記載のショーケースの扉構造。
【発明の詳細な説明】
【技術分野】
【０００１】
この発明は、ショーケースの扉構造に関し、更に詳細には、断熱箱体の前方開口部を開閉自在に閉成する扉の上面に溜まる結露水を、前方の使用者側や、後方のショーケース内に流れ出さないようにした扉構造に関するものである。
【背景技術】
【０００２】
食料品店やコンビニエンスストア等で、食品や飲料品等を冷蔵状態で収納して陳列するショーケースが好適に使用されている。このショーケースは、内装板と外装板との間にウレタン等の発泡断熱材を充填してなる断熱箱体の内部に、食品や飲料品等の陳列品の収納室が画成される。また断熱箱体の前部には、前方に開放する矩形状の開口部が開設され、この前方開口部の内周には枠が設けられ、該開口部を開閉する扉が枠にスライド自在に支持されている(例えば。特許文献１)。
【特許文献１】特開２００６−２２３３６０号公報
【発明の開示】
【発明が解決しようとする課題】
【０００３】
前記前方開口部を開閉する扉は上面部が略フラットな形状になっており、ショーケース内外の温度差によって前記枠内に結露水が発生すると、該結露水が扉の上面部に溜まることがあった。このようにして扉の上面部に溜まった結露水は、該扉が開閉される動作によって該上面部から流れ出してしまい、ショーケース外に向かって流れ出した場合には使用者にかかり、またショーケース内部に流れ出した場合には、ショーケース内部に収納された物品等にかかって濡らしてしまう問題があった。
【０００４】
本発明は、前述した従来の技術に内在している前記欠点に鑑み、これを好適に解決するべく提案されたものであって、前方開口部をスライド自在に開閉する扉の上面部に溜まった結露水が使用者や、ケース内部に収納された物品にかからないようにしたショーケースの扉構造を提供することを目的とする。
【課題を解決するための手段】
【０００５】
前記課題を克服し、所期の目的を達成するため、本発明に係るショーケースの扉構造は、前方開口部を有する断熱箱体と、前記前方開口部の内周上部および内周下部に、上枠および下枠が設けられ、両枠間にスライド自在に支持された扉により前記前方開口部を開閉するショーケースにおいて、
前記扉の上面部における前端縁および後端縁に、各縁端に沿って上方へ所定高さで突出する突条を設けたことを特徴とする。
従って、請求項１に係る発明によれば、扉の上面部に溜まった結露水が、該扉の開閉動作によって該扉の前端側および後端側に流れ出すことを防止し得るから、該扉の前端側に位置する使用者や、後端側の庫内に収納されている物品が結露水で濡れることを抑制し得る。
【０００６】
請求項２に記載の発明では、前記上面部には、前記扉が前記前方開口部を閉成した際に前記断熱箱体の内側面に当接する側の側端部に、上方へ所定高さで突出する側部突条が前記両突条に連接して設けられていることを要旨とする。
従って、請求項２に係る発明によれば、扉の開放した際に、該扉の上面部に溜まった結露水が、開放される前方開口部側に流れ出すことを防止し得る。
【発明の効果】
【０００７】
本発明に係るショーケースの扉構造によれば、扉の上面部に溜まる結露水が、該扉の開閉操作に際して、ショーケースの使用者や、ショーケース内部に収納される物品を濡らすことがない。
【発明を実施するための最良の形態】
【０００８】
次に、本発明に係るショーケースの扉構造につき、好適な実施例を挙げて、添付図面を参照しながら以下説明する。図１に示す如く、実施例に係るショーケース１０は、前方に開口した内装箱１２と外装箱１４との間にウレタン等の発泡断熱材１６を充填してなる断熱箱体１８と、該箱体１８が載置されるシャーシ２０から基本的に構成される。またシャーシ２０の内部に画成された機械室６０に、圧縮機や凝縮器等からなる冷凍装置６２が収納されている。
【０００９】
前記断熱箱体１８の内部上方に、前記冷凍装置６２から冷媒が循環供給される冷気循環装置６４が配設され、冷気循環装置６４により送気される冷気によって断熱箱体１８に内部画成した収納室２１を冷却するよう構成されている。また収納室２１には、食品や飲料品等の物品が整列収納される棚部材(図示せず)が、上下方向に多段的に配設されている。前記断熱箱体１８の前部には、前方に開放する矩形状の前方開口部１８ａが形成され、この前方開口部１８ａの内周囲に、上枠５０、右側枠５２、左側枠５４および下枠５６が配設されている。そして、上枠５０と下枠５６とに、前扉２２および後扉３２が夫々左右方向にスライド可能に支持されて、前方開口部１８ａを開閉し得るよう構成してある。
【００１０】
前記上枠５０には、図２に示す如く、断面が下方に開口したコ字形状の案内溝５０ａ,５０ａが、前後に隣接して幅方向(左右方向)の全長に亘って平行に延在するよう形成されている。そして、前記各案内溝５０ａ,５０ａに、各前扉２２,３２の上端部がスライド可能に臨むよう構成されている。前記下枠５６は、図３に示す如く、底板５６ａの上面に前後方向に離間して２本の下レール５６ｂ,５６ｂが立設されて、夫々が幅方向に平行に延在している。そして、各下レール５６ｂに対応する各扉２２,３２の下端部の下端には、左右方向に離間して配設した一対のローラ４４,４４が夫々設けられ、該ローラ４４,４４を介して前扉２２および後扉３２がスライド可能に支持されるようになっている。
【００１１】
また、前記下枠５６の底板５６ａの所要位置には、図３に示す如く、排水口５６ｅが形成され、該排水口５６ｅはドレンパイプ５８等を介して、前記機械室６０に配設したドレンパン(図示せず)に連通している。そして、前記下枠５６内に流れ込んだ結露水は、該下枠５６内に留まらず、収納室２１外(ドレンパン)に排出されて処理されるよう構成されている。なお、前記下レール５６ｂ,５６ｂの下端部には、夫々前後方向に貫通する貫通穴(図示せず)が幅方向に離間して複数設けられており、下枠５６の何れの位置に結露水が流れ込んでも、好適に収納室２１外へ排出されるよう構成されている。また、底板５６ａの前端縁および後端縁には、夫々対応して前立上がり部５６ｃおよび後立上がり部５６ｄが幅方向の全長に亘って立設され、該前立上がり部５６ｃにより下枠５６上に位置するローラ４４,４４を前側から見えないよう覆うと共に、該前立上がり部５６ｃおよび後立上がり部５６ｄにより、両扉２２,３２の下端部を前後から覆うことで、前方開口部１８ａの密閉性を高めている。
【００１２】
そして、実施例では、前扉２２の右側面部側を、右側枠５２の内面(断熱箱体１８の内側面)に当接させることで、前方開口部１８ａの右半分を閉成し、後扉３２の左側面部側を、左側枠５４の内面(断熱箱体１８の内側面)に当接することで、前方開口部１８ａの左半分を閉成するよう構成されている(図１参照)。そして、両扉２２,３２で前方開口部１８ａを閉成した状態で、前扉２２の左側後面と後扉３２の右側前面とが前後に重なることで、該開口部１８ａの密閉性を確保するようになっている。
【００１３】
ここで、前記前扉２２および後扉３２について説明する。なお、前扉２２と後扉３２の構造は同一であるので、前扉２２を例に挙げて説明することとする。
【００１４】
前記前扉２２は、ガラスや合成樹脂等から形成される透明な矩形状の２枚の平板材からなる透視体３０,３０と、合成樹脂製の枠体２４(後扉３２では枠体３４)とから構成されたものであって、必要な強度を確保すると共に外部から内部が視認可能にされている。前記枠体２４は、透視体３０の上下の端縁(左右方向に延在する端縁)に取付けられる上枠部材２６および下枠部材２７と、該透視体３０の左右の端縁(上下方向に延在する端縁)に夫々取付けられ、断面が外方に開口したコ字形状の右側枠部材２８および左側枠部材２９から構成される。そして、前記前扉２２に上端部(上枠部材２６および両側枠部材２８,２９の上端部)が、前記上枠５０のスライド方向に延びる案内溝５０ａ内に挿入されると共に、前扉２２の下端部(下枠部材２７および両側枠部材２８,２９の下端部)に設けたローラ４４,４４が、下枠５６の下レール５６ｂ上に摺動可能に載せられる(図２および図３参照)。なお、図１から明らかなように、前扉２２の上端部は、枠体２４を構成する上枠部材２６および両側枠部材２８,２９の上端部からなり、下端部は、枠体２４を構成する下枠部材２７および両側枠部材２８,２９の下端部からなる。また、前扉２２における枠体２４、上枠部材２６、下枠部材２７、右側枠部材２８および左側枠部材２９に対応する後扉３２の部位は、夫々枠体３４、上枠部材３６、下枠部材３７、右側枠部材３８および左側枠部材３９である。
【００１５】
また、図２に示す如く、前記上枠部材２６の上面部２６ａ(前扉２２の上面部)の前端縁および後端縁には、上方に所定高さで突出する突条４０,４０が、夫々対応する端縁に沿って幅方向の全長に亘って形成されている(後扉３２では、上枠部材３６の上面部３６ａ(後扉３２の上面部))。各突条４０は、ショーケース１０を作動させて収納室２１内を冷却することで、前記上枠５０内に発生して前記上面部２６ａに溜まる結露水を、前扉２２の前方側および後方側に流れ出さないように構成される。また、前記突条４０の高さ寸法は、前扉２２を上枠５０および下枠５６の間に装着可能で、かつ装着した状態で上枠５０の内部上面に接触しない値に設定してある。前記突条４０については、上面部２６ａに一体的に形成されており、材質も枠体２４(上枠部材２６)と同じ合成樹脂製となっている。
【００１６】
(実施例の作用)
次に、実施例に係るショーケースの扉構造の作用につき説明する。ショーケース１０の冷却運転が開始されると、前記冷凍装置６２および冷気循環装置６４等によって収納室２１が冷却される。外気温と庫内温度との温度差や外湿度等の条件により、前扉２２および後扉３２の室外側(前面側)が露点温度以下になると結露が始まり、前記上枠５０内に生じた結露水が流下して、各上枠部材２６,３６の上面部２６ａ,３６ａ(各扉２２,３２の上面部)に溜まることになる。
【００１７】
このように、各上面部２６ａ,３６ａに結露水が溜まった状態で、前扉２２または後扉３２を開閉操作すると、結露水が上面部２６ａ,３６ａで移動することになるが、該上面部２６ａ,３６ａには、夫々突条４０,４０が設けられているので、使用者のいる室外側(前面側)および物品が収納されている収納室２１側(後側)に結露水が流れ出すことは防止される。そして、前扉２２または後扉３２の開閉操作によって前記上面部２６ａ,３６ａに溜った結露水は、各突条４０が設けられていない各扉２２,３２の両側面部である右側枠部材２８,３８の外側側面部または左側枠部材２９,３９の外側側面部を伝わって流れ出して下枠５６に至り、該下枠５６に設けられている排水口５６ｅおよびドレンパイプ５８等を介してドレンパンに排出されて処理される。なお、前記各突条４０は、上面部２６ａ,３６ａに一体的に形成されているため、継ぎ目がなく、特に目止め等の処理をする必要もない。
【００１８】
また、このような扉２２(３２)の上枠５０と下枠５６との間への装着は、該扉２２(３２)の上端部を、上枠５０における案内溝５０ａ内に挿入しつつ、扉２２(３２)を持ち上げて夫々のローラ４４,４４が下枠５６の下レール５６ｂ上に跨るように載せることでなされる。また扉２２(３２)の脱離は、装着操作の流れの逆で実施される。この扉２２(３２)の着脱作業は、上枠５０、下枠５６の清掃等の衛生保持の観点から定期的に実施されるものであるが、本発明に係る前記突条４０の高さ寸法は、扉２２(３２)の着脱に支障を来さない寸法より小さく設定されているので、前述の扉２２(３２)の着脱作業は好適に実施可能である。
【００１９】
(別の実施例)
前述の実施例では、突条４０は、上枠部材２６,３６の上面部２６ａ,３６ａ(扉２２,３２の上面部)の前端縁および後端縁に突設されているが、本発明はこれに限定されるものではない。例えば、図４に示す如く、扉２２(３２)の上面部における前端縁および後端縁に突条４０,４０を突設すると共に、断熱箱体１８の内側面に当接する側の側端部に側部突条４２を突設するようにしてもよい。前扉２２の場合、上枠部材２６の上面部２６ａに設けられる突条４０,４０に連接するように、右側枠部材２８の上面部において上面部２６ａの右側端縁に接触する部位に上方に所定高さで突出するように側部突条４２が設けられる。また、後扉３２の場合、上枠部材３６の上面部３６ａに設けられる突条４０,４０に連接するように、左側枠部材３９の上面部において上面部３６ａの左側端縁に接触する部位に上方に所定高さで突出するように側部突条４２が設けられる。
【００２０】
すなわち、各枠部材２６,２７,２８,２９(３６,３７,３８,３９)から枠体３４が組み立てられることで、前記上面部２６ａ(３６ａ)に溜まった結露水が使用者のいる室外側(前面側)および物品が収納されている収納室２１側(後側)だけでなく、各扉２２,３２の開放する際に、該扉２２の右側枠部材２８側(前扉２２の断熱箱体１８の内側面に当接する側)や、後扉３２の左側枠部材３９側(後扉３２の断熱箱体１８の内側面に当接する側)へ、開放動作によって結露水が流れ出すことを防止し得る。前記側部突条４２は、右側枠部材２８(左側枠部材３９)に一体的に形成されている。なお、図４は前扉２２だけを示すようにしている。
【００２１】
(変更例)
(１)前述の各実施例では、前後の突条４０や側部突条４２は、合成樹脂製の枠体２４,３４(上枠部材２６,３６の上面部２６ａ,３６ａ)の一部として、枠体２４，３４と同様の材質で形成されていたが、本発明はこれに限定されるものではない。例えば、各突条４０,４０の材質を、柔軟であって変形可能な軟質塩ビ樹脂製等としてもよい。この場合、前記突条４０,４０が上からの押圧力に対して潰れるように変形するため、該突条４０,４０の高さ寸法を、上枠５０の内部上面に接触しない範囲でできるだけ高くすることも可能となる。これにより、前記上枠５０と、該上枠５０の案内溝５０ａに差し込まれてスライド自在とされる各扉２２,３２との間の密閉性を向上させて、収納室２１内の冷気が室外へ漏れ出すことを好適に防止し得る。なお、各突条４０の高さ寸法が、上枠５０の内部上面に接触する以上とされると、各扉２２,３２の開閉操作に際して、該上枠５０に発生する結露水に接触して飛散させてしまうため好ましくない。
(２)前述の各実施例および変更例(１)では、上枠部材２６,３６における上面部２６ａ,３６ａ(各扉２２,３２の上面部)に溜まった結露水は、該扉２２,３２の側端縁を伝わって下枠５６に至り、排水口５６ｅおよびドレンパイプ５８等を介して室外(ドレンパン)に排出されていたが、本発明はこれに限定されるものではない。例えば、前扉２２を構成する枠体２４の右側枠部材２８や、後扉３２を構成する枠体３４の左側枠部材３９に、上下方向に連通して上面部２６ａ,３６ａに溜まった結露水を下枠５６に導く排水路４６を設けるようにしてもよい。この場合、前記上枠部材２６,３６における上面部２６ａ,３６ａに溜まった結露水は、排水路４６を通って下枠５６に至り、更に排水口５６ｅおよびドレンパイプ５８等を介して室外(ドレンパン)に排出される。更に、このような専用の排水路４６を設ける場合には、上枠部材２６,３６における上面部２６ａ,３６ａ(各扉２２,３２の上面部)の四方の端縁全てに突条を突設してもよい。なお、図５は別の実施例に係る扉構造おける扉に排水路４６を形成した例を示している。
(３)前述の各実施例では、前記突条４０,４０は、上枠部材２６,３６における上面部２６ａ,３６ａ(各扉２２,３２の上面部)に一体的に構成されていたが、本発明はこれに限定されるものではなく、該上面部２６ａ,３６ａとは別体で形成してもよい。この場合、前記突条４０,４０と上面部２６ａ,３６ａとの間から結露水が漏れ出さないように、該突条４０,４０を上面部２６ａ,３６ａに対して密着的に形成するか、別途目止めを施す等の処理が必要に応じて実施される。
【図面の簡単な説明】
【００２２】
【図１】本発明の実施例に係る扉構造を採用したショーケースを一部破断して示す正面図である。
【図２】実施例に係る扉構造における扉の上部を拡大して示す縦断側面図である。
【図３】実施例に係る扉構造における扉の下部を拡大して示す縦断側面図である。
【図４】別の実施例に係る扉構造における扉の上部を拡大して示す斜視図である。
【図５】変更例(２)に係る排水路を備える扉の上部を拡大して示す概略斜視図である。
【符号の説明】
【００２３】
１８  断熱箱体、１８ａ  前方開口部、２２  前扉(扉)、２６ａ  上面部
３２  後扉(扉)、３６ａ  上面部、４０  突条、４２  側部突条
５０  上枠、５６  下枠
【図１】
2009066296.tif 000003
【図２】
2009066296.tif 000004
【図３】
2009066296.tif 000005
【図４】
2009066296.tif 000006
【図５】
2009066296.tif 000007